(57)【要約】【課題】側面部の端部に形成されるリブを、パンチの抜き方向によらず、かつ少ない工程数で実現できる筐体を提供することである。【解決手段】板金を折り曲げて、底面部３０ａと側面部３０ｄとを形成する筐体３０であって、側面部３０ｄにはリブ３１が形成され、リブ３１は、側面部３０ｄの上端部における少なくとも一部領域を絞り加工することにより、筐体３０の外側に突出するように形成される絞り部３１ａと、絞り部３１ａの一部を筐体３０の内側に曲げることにより、該曲げ位置から前記内側方向へ所定の領域面３１ｃを有するように形成される曲げ部３１ｂと、を備え、所定の領域面３１ｃの先端は、側面部３０ｄの内面の延長線上よりも外側に位置する構成とする。【選択図】図４
2014120562.tif 000002
【特許請求の範囲】
【請求項１】
板金を折り曲げて、底面部と側面部とを形成する筐体であって、
前記側面部にはリブが形成され、
前記リブは、
前記側面部の上端部における少なくとも一部領域を絞り加工することにより、該筐体の外側に突出するように形成される絞り部と、
前記絞り部の一部を前記筐体の内側に曲げることにより、該曲げ位置から前記内側方向へ所定の領域面を有するように形成される曲げ部と、を備え、
前記所定の領域面の先端は、前記側面部の内面の延長線上よりも外側に位置することを特徴とする筐体。
【請求項２】
前記側面部と前記底面部との境界の前記リブに対向する部分は、折り曲げ加工により形成された折り曲げ部によって繋がっていることを特徴とする請求項１記載の筐体。
【請求項３】
前記所定の領域面が前記側面部に対して垂直であることを特徴とする請求項１又は２記載の筐体。
【請求項４】
対向する前記側面部にそれぞれ前記リブを備えることを特徴とする請求項１〜３の何れかに記載の筐体。
【請求項５】
板金を折り曲げて、底面部と側面部とを形成する筐体と、
前記筐体に搭載され、記録媒体に記録されたデータを再生する再生部と、を備え、
前記側面部にはリブが形成され、
前記リブは、
前記側面部の上端部における少なくとも一部領域を絞り加工することにより、該筐体の外側に突出するように形成される絞り部と、
前記絞り部の一部を前記筐体の内側に曲げることにより、該曲げ位置から前記内側方向へ所定の領域面を有するように形成される曲げ部と、を備え、
前記所定の領域面の先端は、前記側面部の内面の延長線上よりも外側に位置することを特徴とする再生装置。
【発明の詳細な説明】
【技術分野】
【０００１】
本発明は、再生装置をはじめとする電気機器の筐体に関する。
【背景技術】
【０００２】
一般的に、電気機器には金属製の筐体が用いられることが多く、ＤＶＤやＢＤ（Blu-ray（登録商標）Disc）等の光ディスクを再生する光ディスクプレーヤーなどの再生装置、ハードディスクレコーダーなどの記録再生装置においても同じである。そして、金属製の筐体は、一般的に金属板を折り曲げて箱型に成形されたものであり、その成形には様々な技術が用いられている。
【０００３】
例えば、特許文献１には、少なくとも上側面板と、下側面板と、上側面板及び下側面板の四隅に夫々設けられるポスト支持具と、ポスト支持具に取り付けられる四本のポストとで成る通信機器収納キャビネットが開示されている。そして、ポスト支持具は、側面板取付面と、側面板取付面を略垂直に折曲して形成したポスト取付面と、ポスト取付面の上辺を断面略Ｌ字状に折曲して形成した支持板取付面とで成る本体を備えている。また、本体の左右側面に補助板が取り付けられている。さらに、前記ポスト取付面には調整ネジ取付孔が穿設されている。
【０００４】
例えば、特許文献２には、拡散パネルの端部を固定するために、シャーシの端部が折り曲げられたバックライトアッセンブリが開示されている。
【先行技術文献】
【特許文献】
【０００５】
【特許文献１】特開２０００−３５３８８１号公報
【特許文献２】特開２０１０−１９２８号公報
【発明の概要】
【発明が解決しようとする課題】
【０００６】
特許文献１では、本体を折り曲げて支持板取付面を形成する際に用いるパンチはポスト取付面に対して平行にスライドさせて抜く必要があり、支持板取付面が邪魔になりポスト取付面に対して垂直方向に抜くことはできない。パンチをスライドさせる方式は構造が複雑であり、金型及びその整備費用が高価である。また特許文献１の構成では、支持板取付面の高さより高いパンチを用いることができないという制約もある。
【０００７】
また、特許文献２では、シャーシの端部をコ字型に折り曲げているので、３回折り曲げる必要があり、工程数が多くなる。
【０００８】
本発明は、側面部の端部に形成されるリブを、パンチの抜き方向によらず、かつ少ない工程数で実現できる筐体を提供することを目的とする。
【課題を解決するための手段】
【０００９】
上記目的を達成するために本発明は、板金を折り曲げて、底面部と側面部とを形成する筐体であって、前記側面部にはリブが形成され、前記リブは、前記側面部の上端部における少なくとも一部領域を絞り加工することにより、該筐体の外側に突出するように形成される絞り部と、前記絞り部の一部を前記筐体の内側に曲げることにより、該曲げ位置から前記内側方向へ所定の領域面を有するように形成される曲げ部と、を備え、前記所定の領域面の先端は、前記側面部の内面の延長線上よりも外側に位置することを特徴とする。
【００１０】
この構成によれば、リブが筐体の内側へ突出していないので、側面部を形成する際に用いるパンチ（金型）を上方へ抜く（リブの側方を通って抜く）ことができる。すなわち、パンチの抜き方向に制限がない。したがって、スライド方式の金型を用いる必要がない。また、一般的にリブをコの字型に加工する場合は３回折り曲げる必要があるが（３工程）、本構成のリブは１回の絞り加工と１回の曲げ加工の合計２工程という少ない工程数で実現できる。
【００１１】
上記の筐体において、前記側面部と前記底面部との境界の前記リブに対向する部分は、折り曲げ加工により形成された折り曲げ部によって繋がっていることが望ましい。側面部と底面部との境界に切り込みを設けると、折り曲げ部の強度が低下するからである。
【００１２】
また上記の筐体において、前記所定の領域面が前記側面部に対して垂直であることが好ましい。これにより、組み立て作業者が所定の領域面と底面部とを挟持する際に打ち抜き加工した筐体の端部が指に当たらず、さらに面と面で持ちやすくなる。
【００１３】
また上記の筐体において、対向する前記側面部にそれぞれ前記リブを備えることが望ましい。組み立て作業者が両手で筐体を持てるようにするためである。
【００１４】
また本発明の再生装置は、少なくとも一部に板金部分を有する部材を加工し、底面部と側面部とを形成する筐体と、前記筐体に搭載され、記録媒体に記録されたデータを再生する再生部と、を備え、前記側面部にはリブが形成され、前記リブは、前記側面部の上端部における少なくとも一部領域を絞り加工することにより、該筐体の外側に突出するように形成される絞り部と、前記絞り部の一部を前記筐体の内側に曲げることにより、該曲げ位置から前記内側方向へ所定の領域面を有するように形成される曲げ部と、を備え、前記所定の領域面の先端は、前記側面部の内面の延長線上よりも外側に位置することを特徴とする。このように、上記の筐体は再生装置に利用することができる。
【発明の効果】
【００１５】
本発明によると、リブが筐体の内側へ突出していないので、側面部を形成する際に用いるパンチ（金型）を上方へ抜く（リブの側方を通って抜く）ことができる。すなわち、パンチの抜き方向に制限がない。したがって、スライド方式の金型を用いる必要がない。また、一般的にリブをコの字型に加工する場合は３回折り曲げる必要があるが（３工程）、本発明のリブは１回の絞り加工と１回の曲げ加工の合計２工程という少ない工程数で実現できる。
【図面の簡単な説明】
【００１６】
【図１】本発明の一実施形態であるＨＤＤ一体型光ディスク装置における前面カバー及び外装カバーと筐体との分解斜視図である。
【図２】図１の筐体の斜視図である。
【図３】図１の筐体の平面図である。
【図４】図３のＡ−Ａ線断面図である。
【図５】図１の筐体の製造途中の部分断面図である。
【図６】比較例のリブを有した筐体の製造途中の部分断面図である。
【発明を実施するための形態】
【００１７】
以下に本発明の実施形態を図面を参照して説明する。以下、本発明の再生装置の一例として、録画再生装置であるハードディスクドライブ（ＨＤＤ）一体型光ディスク装置を用いて説明する。
【００１８】
図１はＨＤＤ一体型光ディスク装置１０における前面カバー１１及び外装カバー２０と筐体３０との分解斜視図、図２は筐体３０の斜視図、図３は筐体３０の平面図、図４は図３のＡ−Ａ線断面図、図５は筐体３０の製造途中の部分断面図である。
【００１９】
図１に示すように、ＨＤＤ一体型光ディスク装置１０は、前面カバー１１と、外装カバー２０と、筐体３０とを備えている。
【００２０】
前面カバー１１は、外装カバー２０及び筐体３０の前面側に取り付けられ、各種ユーザーインターフェースを有している。例えば、前面カバー１１には、光ディスク搬送用のトレイ１２、トレイ１２を開閉させる開閉ボタン１３、外部機器接続用の端子群１４、表示部としての表示管１５、光ディスクやＨＤＤのデータを再生させる再生ボタン等からなる操作部１６、電源ボタン１７などが配設されている。
【００２１】
外装カバー２０は、筐体３０の上面及び左右側面を覆うコ字型の部材であり、筐体２０にビス等で固定される。
【００２２】
筐体３０は、ＨＤＤ一体型光ディスク装置１０の各種部材を搭載するボトムシャーシとしての役割がある。搭載する部材は、ＨＤＤ記録再生部、光ディスク記録再生部、制御部などである。
【００２３】
ＨＤＤ記録再生部は、映像／音声データをＨＤＤに記録したり、ＨＤＤに記録されたデータを再生したりするものである。光ディスク記録再生部は、映像／音声データを挿入されたＤＶＤ又はＢＤに記録したり、ＤＶＤ又はＢＤに記録されたデータを再生したりするものである。制御部は、マイクロプロセッサ等からなり、ＨＤＤ一体型光ディスク装置１０の各部を制御するものである。
【００２４】
筐体３０は、ＳＥＣＣ（電気亜鉛めっき鋼板）などの板金部材を打ち抜き加工、曲げ加工、絞り加工等によって成形したものである。なお、筐体３０は全てが板金部材等の金属製でなくても、一部（少なくとも後述するリブを有する側面部とそれに続く底面部）に金属部分を有すれば、他の部分は樹脂等の他の材料であってもよい。本実施形態では、筐体３０は全てが板金部材であるものとする。
【００２５】
図２、図３に示すように、筐体３０は、矩形の底面部３０ａと、底面部３０ａの各辺から上方へ延びた前側面部３０ｂ、後側面部３０ｃ、左側面部３０ｄ、右側面部３０ｅとを有している。各側面部３０ｂ〜３０ｅは、折り曲げ部３０ｆ〜３０ｉによって底面部３０ａに繋がっている。また、左側面部３０ｄ、右側面部３０ｅにはそれぞれリブ３１、３２が形成されている。
【００２６】
リブ３１、３２は、組み立て作業者が筐体３０を表裏反転させる際に、両手で筐体３０を持つときの把持部として利用される。すなわち、作業者はリブ３１、３２と底面部３０ａの裏面とを挟持して筐体３０を反転させることができる。
【００２７】
リブ３１は左側面部３０ｄの上端部の中央付近に、リブ３２は右側面部３０ｅの上端部の中央付近に形成される。図４に示すように、リブ３１は、絞り部３１ａと、絞り部３１ａの一部を曲げて形成された曲げ部３１ｂと、曲げ部３１ｂに形成された所定の領域面３１ｃとを有する。リブ３２はリブ３１と同様の構成であるので以下ではリブ３１を例に説明する。
【００２８】
絞り部３１ａは、左側面部３０ｄの上端部における少なくとも一部領域を絞り加工することにより、筐体３０の外側に突出するように形成される。絞り部３１ａは左側面部３０ｄから斜め上方へ延出する部分と、その部分から左側面部３０ｄと平行に上方へ延出する部分とで構成されている。なお、絞り部３１ａの形状はこれに限定されることはなく、例えば、斜め上方へ向かって筐体３０の外側へ湾曲した形状等とすることもできる。
【００２９】
曲げ部３１ｂは、絞り部３１ａの一部（先端側）を筐体３０の内側に曲げることにより、この曲げ位置から筐体３０の内側方向へ所定の領域面３１ｃを有するように形成される。図４に示すように、曲げ部３１ｂは絞り部３１ａの上端側を内側へ直角に曲げられて構成されている。なお、曲げ部３１ｂの角度は直角に限定されることはなく、例えば、直角近傍の角度であってもよい。
【００３０】
所定の領域面３１ｃは、曲げ部３１ｂの曲げ位置から筐体３０の内側へ、左側面部３０ｄの内面から内側へ突出しないように延出した部分である。つまり、所定の領域面３１ｃの先端は、左側面部３０ｄの内面の延長線上よりも外側に位置する。曲げ部３１ｂが内側へ直角に曲げられるので、所定の領域面３１ｃは底面部３０ａに対して平行（左側面部３０ｄ又は右側面部３０ｅに対して垂直）な平面となる。なお、所定の領域面３１ｃは平面に限定されることはなく、例えば、曲面であってもよい。所定の領域面３１ｃの先端がそれが形成される左側面部３０ｄから内側へ突出しない長さであればよい。
【００３１】
このように、所定の領域面３１ｃは左側面部３０ｄに対して垂直であることが好ましい。これにより、組み立て作業者が所定の領域面３１ｃと底面部３０ａとを挟持する際に打ち抜き加工した筐体３０の端部が指に当たらず、さらに面と面で持ちやすくなる。
【００３２】
次に、リブ３１及び左側面部３０ｄを形成する工程について説明する。まず、板金部材を折り曲げる前の筐体３０の形状に沿って打ち抜く。本実施形態では筐体３０の外面側から打ち抜いている。次に、絞り加工によって絞り部３１ａを加工し、続いて曲げ加工によって曲げ部３１ｂを加工する。そして、図５に示すように、パンチ４０で左側面部３０ｄと底面部３０ａとの境界を押さえながら、左側面部３０ｄをパンチ４０に当たるまで直角に曲げ起こす。その後、パンチ４０を上方へ抜く。なお、右側面部３０ｅ及びそれに形成されるリブ３２は左側面部３０ｄ及びそれに形成されるリブ３１と同時に同工程で形成されうる。
【００３３】
このように、リブ３１が筐体３０の内側へ突出していないので、パンチ４０を上方へ抜くことができる。すなわち、パンチの抜き方向に制限がない。したがって、スライド方式の金型（パンチ）を用いる必要がない。また、一般的にリブをコの字型に加工する場合は３回折り曲げる必要があるが（３工程）、本実施形態のリブ３１は１回の絞り加工と１回の曲げ加工の合計２工程という少ない工程数で実現できる。
【００３４】
また上述したように、筐体３０を形成する板金部材は筐体３０の外面側から打ち抜かれて形成されているので、打ち抜かれた部材の端部には筐体３０の内面側にバリが生じる。ここで、リブ３１の曲げ部３１ｂが筐体３０の内側に曲がられているので、このバリは所定の領域面３１ｃの先端から底面部３０ａ側へ突出することになる。したがって、組み立て作業者が所定の領域面３１ｃと底面部３０ａとを挟持してもバリが指に当たることはなく、バリで怪我をすることがない。
【００３５】
一方、図６に比較例のリブを有した筐体１００の製造途中の部分断面図を示す。底面部１００ａに繋がる側面部１００ｂの先端が内側に折り曲げられてリブ１０１が形成されている。打ち抜かれた板金部材を曲げ加工してリブ１０１を形成し、続いて、パンチ４０で底面部１００ａを押さえながら曲げ起こすと、図６に示すように、リブ１０１の先端がパンチ４０に当たってしまい、側面部１００ｂを直角に曲げ起こすことができない。
【００３６】
このように、リブ１０１が筐体１００の内側へ突出しているのでパンチ４０と干渉してしまい、正常に製造できない。この状況はリブ１０１よりも低いスライド方式の金型（パンチ）を用いれば回避できるが、スライド方式の金型は構造が複雑であり、金型代及びその整備費用が高価になる。
【００３７】
なお、上記実施形態では、組み立て作業者が両手で筐体を持てるように、対向する左右の側面部にそれぞれリブ３１、３２を備えているが、筐体が小さく片手で把持できる場合などはリブを１箇所としてもよい。
【００３８】
また、上記実施形態のように、左側面部３０ｄ及び右側面部３０ｅと底面部３０ａとの境界のリブ３１、３２に対向する部分は、折り曲げ部３０ｈ、３０ｉによって繋がっていることが望ましい。左側面部３０ｄ及び右側面部３０ｅと底面部３０ａとの境界に切り込みを設けると、折り曲げ部の強度が低下するからである。
【００３９】
また、上記実施形態のように、リブ３１は左側面部３０ｄの折り曲げ加工時に折り曲げ箇所に当てるパンチ４０の高さより低い場合に特に有効である。なぜなら、リブ３１の所定の領域面３１ｃが左側面部３０ｄの内面から内側へ突出しないように曲がっているので、左側面部３０ｄを折り曲げる際にリブ３１がパンチ４０に接触しないからである。したがって、左側面部３０ｄと底面部３０ａとの境界にパンチ４０を避けるための切り込みを設ける必要がない。よって、切り込みによる折り曲げ部の強度低下を避けることができる。
【００４０】
なお、リブは筐体３０の前側面部３０ｂ、後側面部３０ｃなど他の場所に設けてもよい。この場合、リブは組み立て作業者が持つ部分としてだけでなく、筐体３０に搭載する部品を面で支持する用途にも利用できる。
【００４１】
なお、上記の実施形態で底面部３０ａとして説明した部分は、筐体３０を上下逆さまに用いるような場合には天面部となる。
【００４２】
上記の実施形態ではＨＤＤ一体型光ディスク装置を例に説明したが、それに限定されることはなく、上記の筐体の構造は各種電気機器に利用でき、例えば、光ディスク装置等の再生装置や録画再生装置、ハードディスク装置等の録画再生装置、テレビ受像機、セットトップボックス、これら複数の装置を１つの筐体に組み込んだ複合機にも利用することができる。
【符号の説明】
【００４３】
３０  筐体
３０ａ  底面部
３０ｂ〜３０ｅ  側面部
３１、３２  リブ
３１ａ  絞り部
３１ｂ  曲げ部
３１ｃ  所定の領域面
【図１】
2014120562.tif 000003
【図２】
2014120562.tif 000004
【図３】
2014120562.tif 000005
【図４】
2014120562.tif 000006
【図５】
2014120562.tif 000007
【図６】
2014120562.tif 000008